【手続補正書】
【提出日】平成25年7月22日(2013.7.22)
【手続補正１】
【補正対象書類名】明細書
【補正対象項目名】発明の名称
【補正方法】変更
【補正の内容】
【発明の名称】インクジェット記録装置、インクジェット記録方法及びインクジェット記録ヘッド
【手続補正２】
【補正対象書類名】明細書
【補正対象項目名】０００１
【補正方法】変更
【補正の内容】
【０００１】
本発明は、記録媒体上にインクを吐出することによって画像を記録するインクジェット記録装置、インクジェット記録方法及びインクジェット記録ヘッドに関する。
【手続補正３】
【補正対象書類名】明細書
【補正対象項目名】０００６
【補正方法】変更
【補正の内容】
【０００６】
そこで、本発明は上記の事情に鑑み、超浸透インクと緩浸透インクとを用いて記録を行うインクジェット記録装置、インクジェット記録方法及びインクジェット記録ヘッドにおいて、光学濃度の低下を抑制する記録方法および記録装置を提供することを目的とする。
【手続補正４】
【補正対象書類名】明細書
【補正対象項目名】０００７
【補正方法】変更
【補正の内容】
【０００７】
本発明のインクジェット記録装置は、第１のインクと、前記第１のインクと同系色で且つ前記第１のインクよりも記録媒体に対する浸透性の高い第２のインクとを吐出可能な記録ヘッドを用い、前記記録媒体に対する往復の走査により前記記録媒体上に画像を記録するインクジェット記録装置であって、前記記録ヘッドの往方向における走査及び復方向における走査のいずれにおいても、所定領域において前記第１のインクを前記第２のインクよりも先に吐出するように、前記記録ヘッドを制御する記録制御手段を備えることを特徴とする。
【手続補正５】
【補正対象書類名】明細書
【補正対象項目名】０００８
【補正方法】変更
【補正の内容】
【０００８】
本発明のインクジェット記録装置、インクジェット記録方法及びインクジェット記録ヘッドによれば、光学濃度の低下を抑制することができるので、記録画像の品質の低下を抑えることができる。
【手続補正６】
【補正対象書類名】特許請求の範囲
【補正対象項目名】全文
【補正方法】変更
【補正の内容】
【特許請求の範囲】
【請求項１】
第１のインクと、前記第１のインクと同系色で且つ前記第１のインクよりも記録媒体に対する浸透性の高い第２のインクとを吐出可能な記録ヘッドを用い、前記記録媒体に対する往復の走査により前記記録媒体上に画像を記録するインクジェット記録装置であって、
前記記録ヘッドの往方向における走査及び復方向における走査のいずれにおいても、所定領域において前記第１のインクを前記第２のインクよりも先に吐出するように、前記記録ヘッドを制御する記録制御手段
を備えることを特徴とするインクジェット記録装置。
【請求項２】
前記記録ヘッドは、前記走査の方向と交差する方向に複数の吐出口が並ぶ複数の吐出口列を備え、前記複数の吐出口列は、前記第１のインクを吐出可能な第１の吐出口列と、前記第２のインクを吐出可能な第２の吐出口列と、前記第１のインクを吐出可能な第３の吐出口列とを含み、前記記録ヘッドの走査方向において、前記第１の吐出口列と前記第３の吐出口列との間に前記第２の吐出口列が配置されていることを特徴とする請求項１に記載のインクジェット記録装置。
【請求項３】
前記記録制御手段は、前記所定領域において、前記第１の吐出口列が前記走査方向前方にある走査では前記第１の吐出口列及び前記第２の吐出口列を用い、前記第３の吐出口列が前記走査方向前方にある走査では前記第２の吐出口列及び前記第３の吐出口列を用いて画像を記録することを特徴とする請求項２に記載のインクジェット記録装置。
【請求項４】
前記画像はエッジ部と前記エッジ部の内部の非エッジ部を含み、前記所定領域は前記非エッジ部に対応することを特徴とする請求項１から３のいずれかに記載のインクジェット記録装置。
【請求項５】
前記記録制御手段は、前記エッジ部において、前記第２のインクを吐出せずに前記第１のインクを吐出するように前記記録ヘッドを制御することを特徴とする請求項４に記載のインクジェット記録装置。
【請求項６】
前記記録制御手段は、前記エッジ部において、前記第１の吐出口列及び前記第３の吐出口列からインクを吐出するように前記記録ヘッドを制御することを特徴とする請求項４または５に記載のインクジェット記録装置。
【請求項７】
前記記録制御手段は、前記非エッジ部において、前記第１のインクと前記第２のインクとが記録媒体上の同じ位置に重なるように前記記録ヘッドを制御することを特徴とする請求項４から６のいずれか１項に記載のインクジェット記録装置。
【請求項８】
前記記録制御手段は、前記非エッジ部において、前記第１のインクと前記第２のインクとが前記走査の方向において交互に吐出されるように、前記記録ヘッドを制御することを特徴とする請求項４から６のいずれか１項に記載のインクジェット記録装置。
【請求項９】
前記第１のインク及び前記第２のインクはブラックのインクであることを特徴とする請求項１から８のいずれか１項に記載のインクジェット記録装置。
【請求項１０】
前記第１のインク及び前記第２のインクは、色材として自己分散型顔料を含むことを特徴とする請求項１から９のいずれかに記載のインクジェット記録装置。
【請求項１１】
前記第１のインクの色材濃度は前記第２のインクの色材濃度よりも低いことを特徴とする請求項１から１０のいずれか１項に記載のインクジェット記録装置。
【請求項１２】
第１のインクと、前記第１のインクと同系色で且つ前記第１のインクよりも記録媒体に対する浸透性の高い第２のインクとを吐出可能な記録ヘッドを用い、前記記録ヘッドの往方向における走査及び復方向における走査のいずれにおいても、前記記録媒体上の所定領域において前記第１のインクを前記第２のインクよりも先に吐出させることにより、前記所定領域に対して画像を記録することを特徴とするインクジェット記録方法。
【請求項１３】
前記記録ヘッドは、前記走査の方向と交差する方向に複数の吐出口が並ぶ複数の吐出口列を備え、前記複数の吐出口列は、前記第１のインクを吐出可能な第１の吐出口列と、前記第２のインクを吐出可能な第２の吐出口列と、前記第１のインクを吐出可能な第３の吐出口列とを含み、前記記録ヘッドの走査方向において、前記第１の吐出口列と前記第３の吐出口列との間に前記第２の吐出口列が配置されていることを特徴とする請求項１２に記載のインクジェット記録方法。
【請求項１４】
前記所定領域において、前記第１の吐出口列が前記走査方向前方にある走査では前記第１の吐出口列及び前記第２の吐出口列からインクを吐出させ、前記第３の吐出口列が前記走査方向前方にある走査では前記第２の吐出口列及び前記第３の吐出口列からインクを吐出させることを特徴とする請求項１３に記載のインクジェット記録方法。
【請求項１５】
前記画像はエッジ部と前記エッジ部の内部の非エッジ部を含み、前記所定領域は前記非エッジ部に対応することを特徴とする請求項１２から１４のいずれかに記載のインクジェット記録方法。
【請求項１６】
前記エッジ部において、前記第２のインクを吐出させずに前記第１のインクを吐出させることを特徴とする請求項１５に記載のインクジェット記録方法。
【請求項１７】
前記エッジ部において、前記第１の吐出口列及び前記第３の吐出口列からインクを吐出させることを特徴とする請求項１５または１６に記載のインクジェット記録方法。
【請求項１８】
前記非エッジ部において、前記第１のインクと前記第２のインクとが記録媒体上の同じ位置に重なるようにインクを吐出させることを特徴とする請求項１５から１７のいずれか１項に記載のインクジェット記録方法。
【請求項１９】
前記非エッジ部において、前記第１のインクと前記第２のインクとを前記走査の方向において交互に吐出させることを特徴とする請求項１５から１７のいずれか１項に記載のインクジェット記録方法。
【請求項２０】
前記第１のインク及び前記第２のインクはブラックのインクであることを特徴とする請求項１２から１９のいずれか１項に記載のインクジェット記録方法。
【請求項２１】
前記第１のインク及び前記第２のインクは、色材として自己分散型顔料を含むことを特徴とする請求項１２から２０のいずれかに記載のインクジェット記録方法。
【請求項２２】
前記第１のインクの色材濃度は前記第２のインクの色材濃度よりも低いことを特徴とする請求項１２から２１のいずれか１項に記載のインクジェット記録方法。
【請求項２３】
記録媒体に対する走査において前記記録媒体上にインクを吐出することにより画像を記録するためのインクジェット記録ヘッドであって、
前記走査の方向と交差する所定方向に複数の吐出口が並ぶ複数の吐出口列を備え、前記複数の吐出口列は、第１のインクを吐出可能な第１の吐出口列と、前記第１のインクと同系色で且つ前記第１のインクよりも記録媒体に対する浸透性の高い第２のインクを吐出可能な第２の吐出口列と、前記第１のインクを吐出可能な第３の吐出口列とを含み、
前記走査の方向において前記第１の吐出口列と前記第３の吐出口列との間に前記第２の吐出口列が配置されていることを特徴とするインクジェット記録ヘッド。